(57)【要約】【課題】  言語を設定するだけで短時間に受信地域に合致したチャンネルプリセットを行えるようにする。【解決手段】  選局装置１は、チューナー２と、映像処理部３と、ＲＯＭ４を内蔵したマイコン５、Ｅ２ＰＲＯＭなどの外部メモリ６、表示手段７とにより構成される。ＲＯＭ４には複数の言語と、その言語に対応したチャンネル検索方式を記憶したデータテーブルが格納され、ユーザが言語を設定すると、言語に対応付けられたチャンネル検索方式にしたがってチャンネルプラン方式又は全域スキャン方式かのいずれかでチャンネル検索を実行する。チャンネルプラン方式にてチャンネル検索を実行すると、ＲＯＭ４に記憶されたチャンネルデータを読み込み、その決められたチャンネルプランに従ってチャンネルを検索する。全域スキャン方式にてチャンネル検索を実行すると例えば２５０ＫＨｚの周波数づつチャンネル検索が実行される。【選択図】      図１
2005167311.tif 000002
【特許請求の範囲】
【請求項１】
多言語による操作が可能な映像機器であって、該多言語の中から操作者が希望する言語を選択する言語選択手段と、選択される多言語及び選択された言語を表示するオンスクリーンディスプレイ機能を備えた表示手段と、前記選択された言語が主に用いられる受信帯域のチャンネル検索方式と対応付けたデータテーブルを記憶したＲＯＭを内蔵するマイコンと、該受信帯域内の周波数情報をプリセットチャンネルとして記憶する外部メモリとを備え、前記選択された前記言語情報をもとに前記データテーブルに記憶されているチャンネル検索方式にしたがってチャンネル検索を行なう選局装置を備えたことを特徴とする映像機器。
【請求項２】
前記チャンネル検索方式が、前記ＲＯＭに記憶された特定地域のチャンネルプランに従ってスキャンするチャンネルプラン方式と、受信可能な周波数領域の全域に渡ってスキャンする全域スキャン方式とから成ることを特徴とする請求項１記載の映像機器。
【請求項３】
前記チャンネルプラン方式によるチャンネル検索が実行された後、そのチャンネルプラン方式に基づいて検出されたチャンネル個数をカウントし、そのチャンネル個数が予め設定されたチャンネル個数より少ない場合、全域スキャン方式に切り換えることを特徴とする請求項２記載の映像機器。
【請求項４】
前記言語の入力後、所定時間、前記全域スキャンにてチャンネル検索を行ない、その全域スキャン方式に基づいて検出されたチャンネル個数に応じて、チャンネルプラン方式を続行するかチャンネルプラン方式によるチャンネル検索に切り換えるかを制御してなることを特徴とする請求項２記載の映像機器。
【発明の詳細な説明】
【技術分野】
【０００１】
本発明は、簡単な操作により、短時間に受信地域に合致したチャンネルプリセットを行えるようにした選局装置を備えた映像機器に関する。
【背景技術】
【０００２】
従来、選局装置の設置時に、放送されているチャンネルをチューナーにサーチさせ、その周波数のデータをメモリに記憶し、選局時にこのメモリに記憶したデータを参照することにより、速やかに選局を行えるようにしたチャンネルプリセット機能を備えた選局装置が知られている。このようなチャンネルプリセット機能を備えた選局装置として、例えば、特許文献１には、ビデオ信号に付加されている放送局コードのフォーマットを検出してチャンネル情報と共に登録する機能を有するとともに、国と言語の少なくとも一方と複数種類の放送局識別情報との検索優先順位の対応関係を予め記憶した第１の記憶手段を備え、ユーザが入力した国情報又は言語情報の少なくとも一方をもとに前記第１の記憶手段に記憶されている優先順位にしたがって放送局識別情報の検索を行なうように構成した選局装置が開示されている。
【特許文献１】特開平８−１９５９１４号公報
【発明の開示】
【発明が解決しようとする課題】
【０００３】
しかし、特許文献１に示す選局装置は、ユーザが入力した国や言語情報に基づいてビデオ信号に付加されている放送局コードのフォーマットの優先順位との対応関係を参照し、その優先順位にしたがって複数の処理を順次実行しなければならない。すなわち、例えば、国がドイツで言語がドイツ語の場合には、ＶＰＳ→８／３０／Ｆ１→ＰＤＣのフォーマットの順にチャンネル検索を行うことから、チャンネル検索に要する時間がかかり、使い勝手が良くない。
【０００４】
また、ユーザが、特定地域の中から国を指定する場合には、選局装置の出荷地域である仕向け地が多岐にわたっていると、複数ある国の中からある特定の国を指定する必要があるから、その国を設定する操作が煩雑であり、操作性に劣るという問題があった。
【０００５】
本発明はこのような問題点に鑑みてなされたものであって、言語を設定するだけで短時間に受信地域に合致したチャンネルプリセットを行える選局装置を備えた映像機器を提供することを目的とする。
【課題を解決するための手段】
【０００６】
請求項１の発明の選局装置は、多言語による操作が可能な映像機器であって、該多言語の中から操作者が希望する言語を選択する言語選択手段と、選択される多言語及び選択された言語を表示するオンスクリーンディスプレイ機能を備えた表示手段と、前記選択された言語が主に用いられる受信帯域のチャンネル検索方式と対応付けたデータテーブルを記憶したＲＯＭを内蔵するマイコンと、該受信帯域内の周波数情報をプリセットチャンネルとして記憶する外部メモリとを備え、前記選択された前記言語情報をもとに前記データテーブルに記憶されているチャンネル検索方式にしたがってチャンネル検索を行なう選局装置を備えた映像機器を特徴とする。
【０００７】
請求項１の構成によれば、ユーザが言語を設定すると、ＲＯＭに記憶されたデータテーブルを参照し、その言語に対応したチャンネル検索方式にてチャンネル検索が実行され、このチャンネル検索で検出された受信帯域内の周波数情報がプリセットチャンネルとして外部メモリに記憶される。
【０００８】
請求項２の発明の映像機器は、請求項１記載の選局装置において、前記チャンネル検索方式が、前記ＲＯＭに記憶された特定地域のチャンネルプランに従ってスキャンするチャンネルプラン方式と、受信可能な周波数領域の全域に渡ってスキャンする全域スキャン方式とから成ることを特徴とする。
【０００９】
請求項２の構成によれば、ユーザが言語を設定すると、ＲＯＭに記憶されたデータテーブルを参照し、その言語に対応してチャンネルプラン方式にてチャンネル検索が実行するか全域スキャン方式にてチャンネル検索が実行するかが決定され、このチャンネルプラン方式か全域スキャン方式で検出された受信帯域内の周波数情報がプリセットチャンネルとして外部メモリに記憶される。
【００１０】
請求項３の発明の映像機器は、請求項２記載の選局装置において、前記チャンネルプラン方式によるチャンネル検索が実行された後、そのチャンネルプラン方式に基づいて検出されたチャンネル個数をカウントし、そのチャンネル個数が予め設定されたチャンネル個数より少ない場合、全域スキャン方式に切り換えることを特徴とする。
【００１１】
請求項３の構成によれば、ユーザの言語設定に基づいてチャンネルプラン方式が実行された場合、ＲＯＭに記憶された特定地域のチャンネルプランに従ってスキャンし、検出された受信帯域内の周波数情報がプリセットチャンネルとして外部メモリに記憶される。このチャンネル個数は順次カウントされ、その記憶されたチャンネル個数カウントが予め設定したチャンネル個数カウントより少ないか否かを判断し、少ないと判断された場合、全域スキャン方式によるチャンネル検索へと切り換わり、受信可能な周波数領域全域に渡ってチャンネル検索が実行される。
【００１２】
請求項４の発明の映像機器は、請求項２記載の選局装置において、前記言語の入力後、所定時間、前記全域スキャンにてチャンネル検索を行ない、その全域スキャン方式に基づいて検出されたチャンネル個数に応じて、チャンネルプラン方式を続行するかチャンネルプラン方式によるチャンネル検索に切り換えるかを制御してなることを特徴とする。
【００１３】
請求項４の構成によれば、ユーザが言語を設定すると、所定時間、全域スキャンにてチャンネル検索が実行される。ここで検出された受信帯域内の周波数情報がプリセットチャンネルとして外部メモリに記憶され、所定時間内に１チャンネルでも同調検出すると引き続き全域スキャンにてチャンネル検索の処理が続行し、所定時間内に１チャンネルも同調検出されない場合、チャンネルプラン方式へと移行する処理が行われる。
【発明の効果】
【００１４】
請求項１の発明によれば、ユーザが言語を選択するだけで、データテーブルに記憶された言語に対応した最適なチャンネル検索方式でチャンネル検索を実行できるから、受信地域の指定やチャンネル検索方式を設定する必要はなく、操作性に優れ、使い勝手が良い。
【００１５】
請求項２の発明によれば、チャンネルプラン方式にてチャンネル検索を実行されると、ＲＯＭに記憶された特定のチャンネルデータのみにチャンネル検索を行えばよいので、短時間に受信可能な周波数情報をプリセットチャンネルとして外部メモリに記憶することができる。
【００１６】
請求項３の発明によれば、仮に、ユーザが誤った言語を選択し、異なる国のチャンネルプラン沿ってチャンネル検索が実行されたとしても、外部メモリに記憶されたチャンネル個数カウントが予め設定したチャンネル個数カウントより少ないか否かを判断し、予め設定したチャンネル個数カウントより少ないと判断された場合、全域スキャン方式によるチャンネル検索へと切り換わるので、確実にチャンネルを検索することができる。
【００１７】
請求項４の発明によれば、所定時間、例えば、３０秒間、全域スキャン方式によるチャンネル検索を実行し、その検出結果に基づいて、全域スキャン方式によるチャンネル検索を続行するかチャンネルプラン方式にてチャンネル検索を実行するかを判別するから、簡単な操作で効率的に受信可能な周波数情報をプリセットチャンネルとして外部メモリに記憶することができるとともに、仮に、ユーザが誤った言語を選択しも、必要以上に無駄な検索を行うことなく、短時間で受信可能な周波数情報をプリセットチャンネルとして外部メモリに記憶することができる。
【発明を実施するための最良の形態】
【００１８】
以下、以下本発明の実施例について図面を参照しながら詳細に説明する。図１はチャンネルプリセット機能を有する選局装置１の概略を示すブロック図である。選局装置１は、チューナー２と、映像処理部３と、ＲＯＭ４を内蔵したマイコン５、Ｅ２ＰＲＯＭなどの外部メモリ６、オンスクリーンディスプレイ機能を備えた表示手段７とにより構成される。チューナー２は、放送局から発信されたデジタル放送信号をアンテナ２ａを介して受信する。また、ＲＯＭ４には言語に対応したチャンネル検索方式を記憶したデータテーブル４Ａが格納され、チューナー２は、マイコン５から指令を受け、データテーブル４Ａを参照し、予め言語と対応付けたチャンネル検索方式にしたがってチャンネル検索を実行し、同調信号が存在する周波数帯域をマイコン５に出力する。映像処理部３は、チューナー２が受信した放送信号を受け、映像音声信号を記憶し、それに復調・復号等の信号処理を施した上で、Ｄ／Ａ変換又はＡ／Ｄ変換などの処理を行い、表示手段７に映像を表示する。
【００１９】
また、ＲＯＭ４には、特定地域のチャンネルデータが予め記憶され、例えば、欧州であればドイツチャンネルプランの受信周波数が予め記憶されている。外部メモリ６は、前記チューナー２がチャンネル検索を実行した際、同調信号があり、周波数帯域にキャリアが存在すれば、その周波数帯域を受信可能な周波数情報として記憶する。表示手段７は、映像処理部３から出力された信号に基づいて映像を表示する装置であり、主としてＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等から構成される。
【００２０】
図２、図３は本実施例における自動チャンネルプリセット動作を示すフローチャートである。また、図４は言語入力時にオンスクリーンディスプレイ機能により表示手段７に表示される画面の一例であり、図５は言語入力時に参照されるデータテーブル４Ａの一例である。
【００２１】
以下、図２を参照しながら自動チャンネルプリセット動作を説明する。まず、ユーザが言語選択手段たるリモートコマンダー８など操作して自動チャンネルプリセットモードに設定する。このようにして自動チャンネルプリセットモードがスタートすると、まず表示手段７には図４に示すような言語設定メニューが表示される。この場合は英語が選択されている状態を示す。ユーザは言語の設定を変更するときは、この画面を見ながらリモートコマンダー８もしくは選局装置１のキーを操作して画面上のカーソルを移動させ、所望の言語の位置に到達したら実行キーを押して確定する。このようにして、言語を選択して設定完了（Ｓ１）すると、ＲＯＭ４に記憶されたデータテーブル４Ａを参照する。図５で示すように、データテーブル４Ａは、言語とチャンネル検索方式とが対応付けられており、言語に対応したチャンネル検索方式にしたがってチャンネル検索を実行する。すなわち、言語としてドイツ語、イタリア語、スペイン語が選択された場合（Ｓ２）、チャンネルプラン方式にてチャンネル検索を実行する（Ｓ３）。チャンネルプラン方式でチャンネル検索を行う場合、ドイツのチャンネルプランにてサーチを行う（Ｓ４）。すなわち、図６に示すように、ＲＯＭ４に記憶されたドイツの国内のチャンネルデータを読み込み、その決められたチャンネルプランに従って、ＶＬ、ＶＨ、ＵＨＦの順にチャンネル毎の中心周波数ｆ０を順次サーチし、チューナー２から映像信号として送信される。チューナー２から送信された映像信号はマイコン５に出力され、ここで同調検出を行い（Ｓ５）、同調信号があれば、チャンネルが選局されたとして外部メモリ６にチャンネルとその中心周波数のデータを記憶し、このチャンネル個数ｍを順次カウントされて記憶する（Ｓ６）。こうして、ドイツのチャンネルプランに従ってチャンネル検索が終了した後（Ｓ７）、外部メモリ６に記憶されたチャンネル個数カウントｍが予め設定したチャンネル個数カウントｎより少ないか否かを判断する（Ｓ８）。そして、外部メモリ６に記憶されたチャンネル個数カウントｍが予め設定したチャンネル個数カウントｎより少ないと判断された場合、後述する全域スキャン方式によるチャンネル検索へと切り換わり、一方、外部メモリ６に記憶されたチャンネル個数カウントｍが予め設定したチャンネル個数カウントｎより多いと判断された場合には、チャンネル個数カウントｍの記憶がクリアされ（Ｓ９）、選局処理を終了する（Ｓ１０）。
【００２２】
また、言語としてフランス語、英語が選択された場合（Ｓ１１）、全域スキャン方式によるチャンネル検索を実行する（Ｓ１２）。すなわち、図７に示すように、ＶＬ、ＶＨ、ＵＨＦの順に所定の周波数、例えば２５０ＫＨｚの周波数づつチューナー２に送信してその周波数毎に同調信号を検出（Ｓ１３、Ｓ１４）し、同調信号があれば、チャンネルが選局されたとして外部メモリ６にチャンネルとその周波数のデータを記憶する。このような全域スキャン方式によるチャンネル検索が完了すると（Ｓ１５）、外部メモリ６に記憶されたチャンネルの個数ｍをカウントする（Ｓ１６）。この処理はチャンネルの個数ｍがカウントされるまで続行される。
【００２３】
このように自動チャンネルプリセット動作を採用する本実施例においては、ユーザが言語を選択するだけで、データテーブル４Ａに記憶された言語に対応した最適なチャンネル検索方式でチャンネル検索を実行できるから、受信地域の指定やチャンネル検索方式を設定する必要はなく、操作性に優れ、使い勝手が良い。また、チャンネルプラン方式にてチャンネル検索を実行されると、ＲＯＭ４に記憶された特定のチャンネルデータのみについてチャンネル検索を行えばよいので、短時間に処理することができる。また、仮に、ユーザの選択した言語に基づくチャンネルプランがその地域でのチャンネルプランと相違するために、異なる国のチャンネルプラン沿ってチャンネル検索を実行されたとしても、外部メモリ６に記憶されたチャンネル個数カウントｍが予め設定したチャンネル個数カウントｎより少ない場合、全域スキャン方式によるチャンネル検索へと切り換わるので、確実にチャンネルを検索することができる。
【００２４】
図３は本実施例における他の自動チャンネルプリセット動作を示すフローチャートである。この自動チャンネルプリセット方法は、まず、ユーザが言語を選択し（Ｓ１）し、言語としてドイツ語、イタリア語、スペイン語、フランス語を選択した場合（Ｓ２、Ｓ３）、所定時間、たとえば３０秒間、全域スキャン方式によるチャンネル検索を実行し（Ｓ４）、言語として英語を選択した場合（Ｓ５）、全域スキャン方式によるチャンネル検索を実行する（Ｓ６）。そして、Ｓ４のチャンネル検索の結果、同調信号が検出されたか否かを判断し（Ｓ７）、３０秒の間に同調信号が検出されなければ、チャンネルプラン方式にてチャンネル検索を実行し（Ｓ８）、同調信号が検出されれば、全域スキャン方式によるチャンネル検索を続行する（Ｓ６）。そして、Ｓ８にてチャンネルプラン方式にてチャンネル検索を実行した場合、ドイツのチャンネルプランにてサーチを行い（Ｓ９）、ＲＯＭ４に記憶されたドイツの国内のチャンネルデータを読み込み、その決められたチャンネルプランに従って、ＶＬ、ＶＨ、ＵＨＦの順にチャンネル毎の中心周波数ｆ０を順次サーチし、チューナー２から映像信号として送信される。チューナー２から送信された映像信号はマイコン５に出力され、ここで同調検出を行い（Ｓ１０）、同調信号があれば、チャンネルが選局されたとして外部メモリ６にチャンネルとその中心周波数のデータを記憶する。そして、チャンネルプランによって決められた中心周波数の検出を終了して（Ｓ１１）、選局処理を終了する（Ｓ１２）。
【００２５】
一方、Ｓ６にて全域スキャン方式によるチャンネル検索を実行すると、ＶＬ、ＶＨ、ＵＨＦの順に所定の周波数、例えば２５０ＫＨｚの周波数づつチューナー２に送信してその周波数毎に同調信号を検出（Ｓ１３、Ｓ１４）し、同調信号があれば、チャンネルが選局されたとして外部メモリ６にチャンネルとその周波数のデータを記憶する。チューナー２が受信可能な周波数領域の全域について、全域スキャンが完了すると（Ｓ１５）、選局処理を終了する（Ｓ１２）。
【００２６】
以上のよう自動チャンネルプリセット動作を行うことにより、言語としてドイツ語、イタリア語、スペイン語、フランス語が選択された場合、３０秒間、全域スキャン方式によるチャンネル検索を実行し、その検出結果に基づいて、その後、全域スキャン方式によるチャンネル検索を続行するかチャンネルプラン方式にてチャンネル検索を実行するかを判別するから、簡単な操作で効率的に受信チャネル情報をプリセットすることができるとともに、仮に、ユーザが誤った言語を選択しも、必要以上に無駄な検索を行うことなく、短時間で最適なチャンネル検索により受信チャネル情報をプリセットすることができる。
【００２７】
なお、本発明は、実施形態の構成に限られることなく種々の変形が可能であり、例えば、特定地域ごとのチャンネルデータを予め記憶させる記憶手段は、不揮発性の記憶手段であれば、ＲＯＭに限られることない。また、キャリアが存在する周波数帯域を記憶させる記憶手段は、書き換え及び消去が可能な記憶手段であれば、Ｅ２ＰＲＯＭに限られることはない。また、選局装置は、テレビジョン受像機やビデオカセットレコーダ（ＶＣＲ）などの電子機器に内蔵される形態であってもよい。
【図面の簡単な説明】
【００２８】
【図１】本発明の選局装置を備えた映像機器の概略を示すブロック図である。
【図２】本発明の自動チャンネルプリセット動作を示すフローチャート図である。
【図３】本発明の自動チャンネルプリセット動作の変形例を示すフローチャート図である。
【図４】本発明の操作画面を示す正面図である。
【図５】本発明のデータテーブルを示す正面図である。
【図６】本発明のチャンネルプラン方式によるチャンネル検索を示す説明図である。
【図７】本発明の全域スキャン方式によるチャンネル検索を示す説明図である。
【符号の説明】
【００２９】
１  選局装置
２  チューナー
４  ＲＯＭ
４Ａ  データテーブル
５  マイコン５
６  外部メモリ
７  表示手段
８  リモートコマンダー（言語選択手段）
【図１】
2005167311.tif 000003
【図２】
2005167311.tif 000004
【図３】
2005167311.tif 000005
【図４】
2005167311.tif 000006
【図５】
2005167311.tif 000007
【図６】
2005167311.tif 000008
【図７】
2005167311.tif 000009